(57)【要約】【課題】絶縁材により一面をコーティングする電子制御板を有する電源板をより簡易に構成するものである。【解決手段】電源板９内の電子制御板２外周に囲い壁７と電子制御板の隙間や穴を塞ぐ受け部８を有する枠体１を形成し、電子制御板２を電源板９に装着固定後に電子制御板２の囲い壁７枠内に絶縁材を塗布または注入して絶縁皮膜を形成する。【選択図】　図１
2004128127.tif 000002
【特許請求の範囲】
【請求項１】
配線パターン面と電子部品実装面とを有する電子制御板と、この電子制御板が装着固定される枠体とで構成される電源板であって、前記枠体は前記電子制御板の電子部品実装面の少なくとも周囲部を当接保持する受け部と、この受け部に連続して略垂直に起立形成され前記電子制御板の周囲を切れ目なく囲う囲い壁と具備しており、前記電子制御板を前記枠体に装着固定後に前記電子制御板のパターン面が絶縁材でコーティングされていることを特徴とする電源板。
【請求項２】
配線パターン面と電子部品実装面とを有する電子制御板と、前記電子制御板の電子部品実装面の周囲の少なくとも一部を当接保持する受け部と、この受け部に連続して略垂直に起立形成され前記電子制御板の周囲を切れ目なく囲う囲い壁と具備している枠体とを、前記パターン面が上面になるように前記電子制御板を前記枠体に装着固定する工程の後に、前記電子制御板の前記パターン面を絶縁保護する絶縁材でコーティングする工程を有することを特徴とする電源板の製造方法。
【発明の詳細な説明】
【０００１】
【発明の属する技術分野】
本発明は、パターン面が絶縁材でコーティングされている電子制御板を有する電源板およびその製造方法に関するものである。
【０００２】
【従来の技術】
従来の電源板（例えば特許文献１）について図２及び図３を用いて説明する。図２は空気調和機の室外ユニットにおける構成部品の配置を示している。室外ユニット５０の構造体の中には熱交換器５１や圧縮機５２などの要素部品とともに、その上部に電源板９が配置されている。電源板９は埃等が入りにくいようにふた９ａが取り付けられている場合もある。電源板９には取付のための穴９ｂや爪（図示せず）が形成されており、室外ユニットの外枠や他の構造部品と固定されるようになっている。
【０００３】
電源板９には切り欠き部５５が設けられており、圧縮機に電源を供給するリード線５４や熱交換器の温度センサ５３からのリード線を引き回して電源板９内に誘導できるように構成されている。
【０００４】
一方その電源板９の中には、図３に示すように電子制御板２が組み込まれており、電子制御板２には湿気や埃による誤動作などの絶縁不良を防止する為に、あらかじめそのパターン面に絶縁保護するためのシリコンなどで代表される絶縁材３を塗布して構成されている。
【０００５】
電子制御板２は配線パターンを有するパターン面とその裏側に各種電子部品を実装する電子部品実装面で構成されている。図３において穴１２はプリント基板自体を構成する工程または各種電子部品を実装する工程で位置決めするために形成されていることがある。
【０００６】
絶縁材の塗布は一般に配線パターンを有するプリント基板に電子部品を実装した後の工程で行われ、塗布の際には、特に着脱性を考慮するなどのため電子制御板上の穴１２やネジ４の取付穴を避けるように塗布されている。そして塗布後の絶縁材が固まった後に電子制御板２は枠体１に組込まれれて電源板を構成している。
【０００７】
【特許文献１】
特開平１０−２６７３６４号公報（頁３−００１８、第４図）
【０００８】
【発明が解決しようとする課題】
しかしながら、前記従来の電源板の構成では上記のように電子制御板２のパターン面の絶縁材のコーティング作業はビスの取付け部や電子制御板加工上で発生する穴１２にかからないように配慮して塗布したり、電子制御板の外周から絶縁材がこぼれ落ちないようにしてコーティングを行なわなければならず、コーティング工程に塗布に技術が必要であった。
【０００９】
また、前記電子制御板２のパターン面を絶縁保護するシリコンなどの絶縁材３は一般的に固まるまでに時間がかかるため、絶縁材塗布後の電源板を早々に枠体１へ組込むことが困難であり、電源板製造工程として時間がかかっていた。
【００１０】
本発明はこのような従来の課題を解決するものであり、電源板としての製造時間が短縮され、かつ絶縁材の塗布が容易な電源板およびその製造方法を提供することを目的とするものである。
【００１１】
【課題を解決するための手段】
前記課題を解決するために本発明は、前記問題点に鑑みてなされたものであり、電子制御板を収納する電源板において、電子制御板のパターン面を絶縁保護する絶縁材が電子制御板の外部に漏れないように電子制御板の外周に切れ目のない囲い壁、電子制御板の隙間や穴を塞ぐ機能をも有する受け部を具備した枠体を設ける。これにより枠体に電子制御板をネジ、ビス等にて取付けた後に電子制御板パターン面の絶縁保護する絶縁材のコーティング作業を行うことにより、電子制御板パターン面の絶縁保護する絶縁材のコーティング作業において枠体へのビスの取付け部や電子制御板外周に絶縁材が漏れないように注意する必要が無くなる為、コーティング時間の短縮が得られる。
【００１２】
なお、囲い壁は電子制御板を装着固定し、絶縁材を注入または塗布してパターン面をコーティングした際に絶縁材が漏出しない高さに構成されていればよく、例えば囲い壁の上端部であればリード線取りだし用の切り欠き部等が形成されていても、絶縁材注入による漏出を防ぐに十分なパターン面からの高さに構成されていればよいものである。
【００１３】
また、受け部は電子制御板の周囲部を受けるように構成されているが、電子制御板に形成された位置決め用などの比較的大きく、絶縁材を注入塗布した場合にその穴から絶縁材が漏れこぼれるような穴をふさぐように形成配置されている。従って、トランジスタや抵抗などのリード足を有する電子部品を装着するための小さな穴であれば、塗布する絶縁材が漏れこぼれてこない限り、受け部を設けて当接保持する必要はない。
【００１４】
また、絶縁材が塗布されるパターン面にはプリント基板に形成される導線パターンや実装された電子部品の足及びその固定のためのはんだが表面に現れている場合だけでなく、表面実装型のメモリや抵抗等の薄いかまたは小さい部品であり、絶縁材を注入または塗布してその電子部品の上面から絶縁膜を形成しても部品機能状、及び構成上支障ないものであればパターン面に実装されていてもよい。
【００１５】
また、電子制御板はそのパターン面の保護や表面実装部品の固定のために、部分的に予め絶縁材が塗布されていても本発明の電源板においては支障はない。
【００１６】
【発明の実施の形態】
以下本発明の実施の形態について図面を参照して説明する。なお、従来の技術で説明した図２、図３での構成部品と同様である部品・内容は図番を同じくして示し、その詳細な説明は省略する。
【００１７】
図１は本発明の実施の形態を示す電源板の構成模式図であり、図１（ａ）はその斜視構成図を示し、図１（ｂ）は図１（ａ）のＡ−Ａ断面での模式図を示している。
【００１８】
まず、電源板９を構成する構成部品について説明する。
【００１９】
電源板９はその外殻部を構成する枠体１と電子制御板２を装着固定する周囲に囲い壁７を有するとともに電子制御板２を受けるように受け部８を有している。受け部８は図１（ａ）において点線で示すように電子制御板２の周囲に所定幅で形成されていて、少なくとも電子制御板２に形成された位置決めの穴１２を下から受けている。要するにこの穴１２に上面から液状やゲル状の粘性のある絶縁材が注入または塗布された場合でも下方にこぼれないようにされている。従って、点線枠の内側は電子部品実装面２ｂに実装された電子部品１０が突出するように空間が形成されている。外枠１の壁と囲い壁７との間には例えば電線などが引き回されて収納される。
【００２０】
次に電源板９の製造工程について説明する。
【００２１】
まず絶縁材の塗布されていない状態（上記のように部分的に事前の塗布があってもよい）の電子制御板２はパターン面に絶縁材が塗布されていない状態でネジ４を用いて枠体１の固定部８に固定される。無論、ネジを用いず爪などを用いて嵌め込み固定されていてもよい。その後、組み立て工程などで溶融状態のシリコンなどの絶縁材が囲い壁内に自動注入されるか、または手作業で塗布されて皮膜３を形成している。囲い壁７は絶縁材塗布による皮膜の厚みを十分考慮してこぼれない高さに形成されている。
【００２２】
【発明の効果】
上記説明から明らかなように、本発明は、電子制御板を収納する電源板において、電子制御板のパターン面を絶縁保護する絶縁材が外部に漏れないように電子制御板の外周を囲い壁、電子制御板の隙間や穴を塞ぐ受け部を有する枠体を設けるもので、この構成によれば、枠体に電子制御板をビスにて取付け固定した後に絶縁材のコーティング作業を行うことにより、従来のように電子制御板のパターン面の枠体との取り付け部や電子制御板外周に絶縁材が漏れないように注意してコーティング作業を行う必要が無くなる為、絶縁材塗布が従来より容易になるとともに、従来のように電子制御板に絶縁材を塗布したあと乾燥してから枠体に組み込んで電源板を構成する場合に比べ、組み込んでから塗布後の絶縁材の乾燥をさせればよく、トータルとして製造工程に要する時間を短縮することも可能になるという効果を奏する。
【図面の簡単な説明】
【図１】（ａ）本発明の実施形態を示す電源板の斜視模式図
（ｂ）本発明の実施形態を示す電源板の断面模式図
【図２】電源板を搭載した空気調和機の室外機の構成模式図
【図３】従来の電子制御板の構成を示す斜視模式図
【符号の説明】
１　枠体
２　電子制御板
３　絶縁材
４　固定ネジ
７　囲い壁
８　受け部
９　電源板
【図１】
2004128127.tif 000003
【図２】
2004128127.tif 000004
【図３】
2004128127.tif 000005